(57)【要約】  【課題】  複数種の被制御機器に応じた表示パネルを備え、リモコン本体に簡単に装着することにより、１つのリモコン本体で複数の被制御機器をコントロールすることができるリモコン装置を提供する。【解決手段】  リモコン本体に配設された複数の入力キーに対応した送信コードを出力するリモコン装置を構成する場合において、前記各入力キーが挿通されるキー孔が形成され、このキー孔の近傍に被制御機器に固有の機能名を表示した表示パネルを前記被制御機器の種類に応じて複数枚備え、これら表示パネルを前記リモコン本体の左右両側部に形成したフック部に着脱自在に装着し、前記被制御機器が、当該表示パネルに表示された各機能名と前記送信コードとを対応させたメモリテーブルを備えてなる。【選択図】      図1
2008311773.tif 000002
【特許請求の範囲】
【請求項１】
リモコン本体に配設された複数の入力キーに対応した送信コードを出力するリモコン装置において、
前記各入力キーが挿通されるキー孔が形成され、このキー孔の近傍に被制御機器に固有の機能名を表示した表示パネルを前記被制御機器の種類に応じて複数枚備え、これら表示パネルを前記リモコン本体に着脱自在に装着してなることを特徴とするリモコン装置。
【請求項２】
前記リモコン本体が、その長さ方向に沿った左右両側部に、前記表示パネルの左右両端縁が係合されるフック部を形成してなることを特徴とする請求項１に記載のリモコン装置。
【請求項３】
前記フック部が、対向面に前記表示パネルの端縁の厚さよりも幅広の凹所を有しており、この凹所間は前記表示パネルの横幅よりも若干幅広に設定されてなることを特徴とする請求項２に記載のリモコン装置。
【請求項４】
前記被制御機器が、当該表示パネルに表示された各機能名と前記送信コードとを対応させたメモリテーブルを備えてなることを特徴とする請求項１に記載のリモコン装置。
【請求項５】
リモコン本体に配設された複数の入力キーに対応した送信コードを出力するリモコン装置において、
前記各入力キーが挿通されるキー孔が形成され、このキー孔の近傍に被制御機器に固有の機能名を表示した表示パネルを前記被制御機器の種類に応じて複数枚備え、これら表示パネルを前記リモコン本体の左右両側部に形成したフック部に着脱自在に装着し、前記被制御機器が、当該表示パネルに表示された各機能名と前記送信コードとを対応させたメモリテーブルを備えてなることを特徴とするリモコン装置。
【発明の詳細な説明】
【技術分野】
【０００１】
本発明は、ＡＶ機器等を遠隔操作するリモコン装置に係り、特に、多種類の被制御機器を１個のリモコン本体で操作し得るリモコン装置に関する。
【背景技術】
【０００２】
一種の被制御機器を専用のリモコン装置で制御するのは、ロスが多いことから複数の被制御機器を１個のリモコン本体で操作可能とするリモコン装置が提案されている。
このリモコン装置は、リモコン本体に設けた複数の操作キーに対応したリモコン送信コードを出力するもので、各操作キーに対し独自の表示をした複数種の表示パネルを選択的にリモコン本体に装着可能にしている。この表示パネルは、リモコン本体のパネル接着面に予め接着しておくようになっている。    
また、このリモコン本体に内蔵したメモリ（ＲＯＭ）に複数種の被制御機器の各リモコン送信コードを全て格納してあり、使用に際してこのリモコン送信コードの一つを選択可能となっている。
【０００３】
このリモコン装置は、「セット」表示の操作キーを押下すると、一定時間だけセットモードとなり、識別番号の入力が選択可能になる。
ここで、「セット」表示の操作キーを押下し、例えば、「二重音声」表示の操作キーを押すと、二重音声のセットを行うことができる。
このように、他の操作キーについても順次入力してゆくと、ある機器番号のリモコン装置が完成し、対応する被制御機器の遠隔操作が可能となる。
従って、リモコン本体が一種で足りるため、製造、販売、サービス等での取り扱いが簡単であり、手間、場所、資源等でのロスを少なくできるというものである。
【０００４】
【特許文献１】特開平６−２１７３８２号公報
【発明の開示】
【発明が解決しようとする課題】
【０００５】
しかしながら、上記特許文献１の発明は、リモコン本体の内蔵メモリに複数種の被制御機器のリモコン送信コードを全て格納しておかねばならないので、容量の大きいメモリが必要になるという欠点があった。
また、被制御機器に固有の表示パネルを使用するため「セット」の操作キーを押下操作して識別番号を入力しなければならず、甚だ手数がかかるという難点もあった。
【０００６】
本発明は、上記課題に鑑みてなされたもので、複数種の被制御機器に応じた表示パネルを備え、リモコン本体に簡単に装着することにより、１つのリモコン本体で複数の被制御機器をコントロールすることができるリモコン装置を提供することを目的としている。                 
【課題を解決するための手段】
【０００７】
上記目的を達成するため、本発明は、リモコン本体に配設された複数の入力キーに対応した送信コードを出力するリモコン装置において、前記各入力キーが挿通されるキー孔が形成され、このキー孔の近傍に被制御機器に固有の機能名を表示した表示パネルを前記被制御機器の種類に応じて複数枚備え、これら表示パネルを前記リモコン本体に着脱自在に装着してなることを特徴としている。
また、前記リモコン本体が、その長さ方向に沿った左右両側部に、前記表示パネルの左右両端縁が係合されるフック部を形成してなることを特徴としている。
また、前記フック部が、対向面に前記表示パネルの端縁の厚さよりも幅広の凹所を有しており、この凹所間は前記表示パネルの横幅よりも若干幅広に設定されてなることを特徴としている。
また、前記被制御機器が、当該表示パネルに表示された各機能名と前記送信コードとを対応させたメモリテーブルを備えてなることを特徴としている。
【０００８】
さらに、本発明は、リモコン本体に配設された複数の入力キーに対応した送信コードを出力するリモコン装置において、前記各入力キーが挿通されるキー孔が形成され、このキー孔の近傍に被制御機器に固有の機能名を表示した表示パネルを前記被制御機器の種類に応じて複数枚備え、これら表示パネルを前記リモコン本体の左右両側部に形成したフック部に着脱自在に装着し、前記被制御機器が、当該表示パネルに表示された各機能名と前記送信コードとを対応させたメモリテーブルを備えてなることを特徴としている。
【発明の効果】
【０００９】
以上のように本発明は、被制御機器に応じた表示パネルをリモコン本体に装着するだけでその被制御機器をコントロール可能となり、従来のように、各被制御機器のリモコン送信コードを全て格納する必要も無いから構成が簡単になるうえ、簡便な表示パネルの取り替えにより１つのリモコン本体で複数の被制御機器をコントロールすることができる効果がある。
また、前記リモコン本体が、その長さ方向に沿った左右両側部にフック部を形成しているので、これに表示パネルの左右両端縁を係合することにより、表示パネルを簡便に交換できる利点がある。
また、前記フック部が、対向面に表示パネルの端縁の厚さよりも幅広の凹所を有しており、この凹所間は表示パネルの横幅よりも若干幅広に設定されていることから、表示パネルの端縁を凹所に入れるとリモコン本体に装着することができ、凹所から抜くと取り外すことができ、表示パネルの交換が容易となる利点がある。
また、前記被制御機器が、当該表示パネルに表示された各機能名と送信コードとを対応させたメモリテーブルを備えているため、従来のように、セットモードにして操作キーを押下しつつ、識別番号を入力する必要がなく、モードを選択するだけで当該被制御機器をコントロールできる利点がある。
【００１０】
さらに、本発明のリモコン装置は、被制御機器に応じた表示パネルをリモコン本体に装着するだけでその被制御機器をコントロール可能となり、簡便な表示パネルの取り替えにより１つのリモコン本体で複数の被制御機器をコントロールすることができる。
また、従来のように、セットモードにして操作キーを押下しつつ、識別番号を入力する必要がなく、モードを選択するだけで当該被制御機器をコントロールできるといった効果がある。
【発明を実施するための最良の形態】
【００１１】
以下、本発明に係るリモコン装置の実施形態について、図面を参照しながら詳述する。
図１は、本発明の一実施形態に係るリモコン装置を示す平面図である。
【００１２】
このリモコン装置１は、リモコン本体２に複数種の表示パネル３を着脱自在に装着し、１台で多数の被制御機器を遠隔操作する構成になっている。
リモコン本体２は、全体が細長でボトムケース４とトップケース５とに二分割されている。
ボトムケース４は、上方開口部の周縁に被嵌合部を、トップケース５は下方開口部に嵌合部をそれぞれ形成し、被嵌合部に嵌合部を嵌合して一体化するようになっている。
【００１３】
そして、ボトムケース４の後端にネジ孔を刻設する一方、トップケース５の後端にネジ挿通孔を形成してあり、このネジ挿通孔からネジを挿通してネジ孔に螺入し、ボトムケース４とトップケース５とを一体的に組み付ける。
また、ボトムケース４は、内周面４ａに保持部４ｂを突設してあり、この保持部４ｂに配線基板６および支持ラバー７を保持するようになっている。
【００１４】
配線基板６は、各入力キー８の直下となる上面に一対の配線パターンを延出させている。なお、これら配線パターンは、キー入力部を構成する電気回路に接続されている。
支持ラバー７は、弾力性を有した絶縁板であり、前記各入力キー８の直下となる一対の配線パターン間の対向面に、導通性を有するカーボンを付着させてある。
【００１５】
入力キー８は、図１に示すように、方形や矩形に形成されており、各下面を凸状に膨出させている。これら入力キー８は、図４に示す如く上部がトップケース５から露出した状態で上下動自在に保持されている。
そして、何れかの入力キー８の上面８ａを指で押すと支持ラバー７が押圧され、指を離すと支持ラバー７の弾発力により定位置に復帰するようになっている。
【００１６】
入力キー８が下動したときは、下面が支持ラバー７を押し下げて一対の配線パターン間にカーボンが接し、配線パターン相互を導通させる。
一方、入力キー８が上動したときは、配線パターン間からカーボン部分が離間し、配線パターンの導通がなくなる。
【００１７】
前記トップケース５は、各入力キー８の箇所に対応する天板５ａに、図５に示す如くキー挿通孔５ｂを形成してある。
各キー挿通孔５ｂは、該当する入力キー８の外形より若干大きいサイズで、組み付け時に入力キー８がそれぞれ挿通される。
【００１８】
また、このトップケース５は、図１に示すように、天板５ａの長さ方向に沿った左右両側部にフック部９，１０を配設している。
このフック部９，１０は、図４および図５に示す如く断面略凸状に形成されており、後端のみが細幅で、前端に向けて全体を幅広にしている。
細幅部分９ａ，１０ａは、対向面の間隔を表示パネル３の横幅よりも若干幅広に設定してあり、この細幅部分９ａ，１０ａからフック部９，１０に向けて表示パネル３を挿入するようになっている。
【００１９】
一方、幅広部分９ｂ，１０ｂは、対向面に表示パネル３の端縁３ａ，３ｂの厚さよりも幅広の凹所９ｃを設けてある（図５は左側のみを示す）。
この凹所間は、表示パネル３の横幅よりも若干幅広に設定してあり、この凹所９ｃに表示パネル３の端縁３ａが係合されて、トップケース５の上面５ｃに表示パネル３が着脱自在に装着される。
５ｄは、上面５ｃに形成した凹所であり、指を入れて表示パネル３の取り出しを容易にしている。
【００２０】
表示パネル３は、トップケース５の上面５ｃを覆う形状の薄板で、本例では、３種の被制御機器に合わせて３枚の表示パネル３Ａ〜３Ｃを用意している。
これら表示パネル３Ａ〜３Ｃは、同一サイズであり、入力キーが挿通されるキー孔３ｃと３ｄとが計４４個形成されている。
すなわち、キー孔３ｃは、１列４個を１０行設けた４０個が同サイズの方形状で、前記入力キー８より若干大きく開設されている。
また、略中央の４個のキー孔３ｄは、矩形状で図示しない入力キーより若干大きく開設されている。
【００２１】
これらキー孔３ｃ，３ｄの近傍には、コントロールすべき被制御機器に固有の機能名を表示してあり、３枚の表示パネル３Ａ〜３Ｃによって表示内容が異なっている。
第１の表示パネル３Ａは、例えば、前部側の１列目の場合、左側のキー孔３Ｋ１から３Ｋ４までを、「電源」「入力切替」「ミュート」「二重音声」の順で表示をしてある。
また、第２の表示パネルは、キー孔３Ｋ１から３Ｋ４までを、「入力切替」「ミュート」「電源」「二重音声」の順としている。
さらに、第３の表示パネルは、キー孔３Ｋ１から３Ｋ４までを、「ミュート」「電源」「画面表示」「二重音声」の順としている。
【００２２】
そして、第２の行から第４の行まではテンキーを表示してあり、これらは第１、第２および第３の表示パネルとも共通の表示としている。
この他は、機能の違いにより複数個の入力キーを１つのブロックにまとめ、複数のブロックに区分表示をしている。
例えば、地上ディジタル放送用として赤、青、黄  緑の入力キーに対応した表示等も施してある。
【００２３】
図６は、リモコン装置の電気的構成を示すブロック線図である。
同図において、１１はキー入力部であり、前記多数の入力キー８や他の入力キーによって構成されている。
このキー入力部１１は、出力がキーデコーダ１２に接続されており、何れかの入力キーが押下操作されると、出力信号をキーデコーダ１２に送出する。
このキーデコーダ１２は、出力信号を受けてキーデコード信号をメモリ１３側に送出する。このメモリ１３は、キーデコード信号に応じたリモコン送信コードを信号発生部１４に与える。
【００２４】
この信号発生部１４は、リモコン送信コードを受けて送信部１５から赤外光のリモコン信号を被制御機器側に送信させる。
この被制御機器は、リモコン送信コードと各機能のデータとを対応させたメモリテーブルを備えている。
【００２５】
図７は、メモリテーブルの一例を示す説明図である。
このメモリテーブルは、図示省略したアドレスに対応させ、キー番号（キー）、キーコード（コード）および第１〜第３の表示パネル３Ａ〜３Ｃの各データからなり、メモリに記憶されている。
キー番号Ｋ１〜Ｋｎは、前記各入力キーに対応しており、それぞれにキーコード“００１”〜“ｎ”が割り当てられている。
そして、キーコード“００１”〜“ｎ”には、第１〜第３の表示パネル３Ａ〜３Ｃの各キー孔３ｃおよび３ｄに表示された機能名に対応させている。
【００２６】
例えば、キー番号Ｋ１は、キーコードが“００１”であり、第１表示パネル３Ａでは「電源」、第２表示パネル３Ｂでは「入力切替」、第３表示パネル３Ｃでは「ミュート」がそれぞれ割り当てられている。
また、キー番号Ｋ３は、キーコードが“００３”であり、第１表示パネル３Ａでは「ミュート」、第２表示パネル３Ｂでは「電源」、第３表示パネル３Ｃでは「入力切替」がそれぞれ割り当てられている。
さらに、キー番号Ｋ５は、キーコードが“００５”であり、第１表示パネル３Ａ〜第３表示パネル３Ｃともに、テンキーの「１」がそれぞれ割り当てられている。
以下、全ての入力キーについて、番号、キーコードに対応する機能が割り当てられている。このようなメモリテーブルは、予め製作工場で被制御機器に組み込まれる。
この後、被制御機器の使用開始に際して、ユーザーがメニューから表示パネル３Ａ〜３Ｃの設定モードを選択し、当該被制御機器専用の表示パネルを設定すると、対応したメモリテーブルが選択される構成となっている。
【００２７】
次に、上記リモコン装置の取り扱いについて、図を参照しつつ説明する。
ユーザーは、リモコン装置でコントロールしたい被制御機器用の表示パネル３Ａ〜３Ｃの何れかを選択する。
例えば、被制御機器がテレビジョン受像機であり、その機能が第１表示パネル３Ａに含まれていると、画面にメニューを表示させて、第１表示パネル３Ａを選択設定しておく。
【００２８】
そして、リモコン本体２のトップケース５側から螺入したネジを外し、入力キー８その他が配設されたボトムケース４を分離する。
次に、リモコン本体２のフック部９，１０における細幅部分９ａ，１０ａから表示パネル３Ａの前端を挿入し、凹所９ｃ間に両端縁３ａ，３ｂを係合させる。これにより、リモコン本体２の上面５ｃに第１表示パネル３Ａ装着される。
【００２９】
続いて、ボトムケース４とトップケース５とを重ね合わせ、第１表示パネル３Ａのキー孔３ｃ，３ｄから入力キー８その他を突出させる。
そして、ネジ挿通孔からネジを挿通してネジ孔に螺入し、ボトムケース４とトップケース５とを一体化する。
これにより、第１表示パネル３Ａが抜けたり位置ずれすることなく、リモコン本体２に保持される。
【００３０】
このリモコン装置１を使用する場合、ユーザーが入力キー８のうち８Ｋ１を押下すると、キー入力部１１から出力信号がキーデコーダ１２に送出される。これに応じて、送信部１５から赤外線のリモコン信号が送信される。
【００３１】
この赤外線信号をテレビジョン受像機が受信すると、その制御部がメモリを検索し、メモリテーブルから入力キー８Ｋ１に対応するデータをピックアップする。
入力キー８Ｋ１のキー番号はＫ１であり、キーコードが“００１” となっているため、その制御部から第１表示パネル３Ａの「電源」に対応したオン指令が発せられる。
これにより、テレビジョン受像機がオンになり、画面に映像が表示されるとともに、スピーカから音声が放音されて、テレビ番組の視聴が可能になる。
【００３２】
なお、このリモコン装置１を、他の被制御機器用にする場合、該当する表示パネルを用意し、前述のようにネジを外してからボトムケース４とトップケース５とを分離する。
そして、トップケース５の凹所３ｄに指を入れ、予め装着されている表示パネルを取り外す。
【００３３】
次に、新しい表示パネルをリモコン本体２のフック部９，１０に係合させ、このリモコン本体２の上面５ｃに表示パネルを装着する。
これにより、入力キーの何れかを押下操作すると、そのキーに表示された機能の指令信号がリモコン装置１から送出されるので、被制御機器を動作させることができる。
以上のように、このリモコン装置１は、被制御機器に応じた表示パネルをリモコン本体に装着するだけでその被制御機器をコントロール可能となる。
【００３４】
よって、簡便な表示パネルの取り替えにより１つのリモコン本体２で複数の被制御機器をコントロールすることができる。
また、従来のように、各被制御機器のリモコン送信コードを全て格納する必要も無いから構成が簡単になる。
なお、本発装置明は上記の各実施形態に限定されず、本発明の趣旨を逸脱しない範囲で、種々の変更が可能である。
【図面の簡単な説明】
【００３５】
【図１】本発明の一実施形態に係るリモコン装置を示す平面図である。
【図２】リモコン装置用表示パネルの他の実施形態を示す平面図である。
【図３】表示パネルのさらに他の実施形態を示す平面図である。
【図４】図１のIV-IV線に沿ったリモコン装置の断面図である。
【図５】図１のV-V線に沿ったリモコン装置の断面図である。
【図６】リモコン装置の電気的構成を示すブロック線図である。
【図７】被制御機器のメモリテーブルの一例を示す説明図である。
【符号の説明】
【００３６】
５    コンセント部
６    コンセント部    
７    電源スイッチ
９    セットスイッチ
１０  セットスイッチ      
１３  センサスイッチ
１４  感振センサ
１５  保持回路
【図１】
2008311773.tif 000003
【図２】
2008311773.tif 000004
【図３】
2008311773.tif 000005
【図４】
2008311773.tif 000006
【図５】
2008311773.tif 000007
【図６】
2008311773.tif 000008
【図７】
2008311773.tif 000009